(57)【要約】【課題】蓄電池やコントローラを、効率良く冷却することが可能となる屋外表示システムを提供する。【解決手段】太陽電池と、電力を蓄電する蓄電池と、コンテンツを表示する表示装置と、前記太陽電池により得られた電力を、前記蓄電池または前記表示装置へ供給するコントローラと、吸気口および排気口が設けられている冷却ケースと、前記冷却ケースの内部に、前記吸気口から前記排気口へ流れる空気流を発生させるファンと、を備え、前記蓄電池および前記コントローラは、前記冷却ケースの内部に収納されている屋外表示システムとする。【選択図】図９
2012133254.tif 000002
【特許請求の範囲】
【請求項１】
太陽電池と、
電力を蓄電する蓄電池と、
コンテンツを表示する表示装置と、
前記太陽電池により得られた電力を、前記蓄電池または前記表示装置へ供給するコントローラと、
吸気口および排気口が設けられている冷却ケースと、
前記冷却ケースの内部に、前記吸気口から前記排気口へ流れる空気流を発生させるファンと、を備え、
前記蓄電池および前記コントローラは、前記冷却ケースの内部に収納されていることを特徴とする屋外表示システム。
【請求項２】
前記表示装置に電力が供給される際に、該電力の状態を変換するインバータを備え、
前記冷却ケースの内部には、前記インバータも収納されていることを特徴とする請求項１に記載の屋外表示システム。
【請求項３】
前記冷却ケースは、略直方体の筐体を形成しており、
前記吸気口は前記筐体の側面に設けられており、前記排気口は前記筐体の反対側の側面に設けられていることを特徴とする請求項２に記載の屋外表示システム。
【請求項４】
前記吸気口と前記排気口のそれぞれにおいて、前記ファンが複数個設けられている請求項２または請求項３に記載の屋外表示システムであって、
温度を検出する温度センサを備え、
前記温度センサの検出結果に応じて、前記ファンの回転速度または駆動個数を調節することを特徴とする屋外表示システム。
【請求項５】
前記冷却ケースの内部において、
前記インバータは、前記蓄電池および前記コントローラよりも、前記吸気口に近い位置に配置されていることを特徴とする請求項２から請求項４の何れかに記載の屋外表示システム。
【発明の詳細な説明】
【技術分野】
【０００１】
本発明は、屋外での使用に好適である屋外表示システムに関する。
【背景技術】
【０００２】
近年、デジタルサイネージと呼ばれる、表示と通信にデジタル技術を活用して平面ディスプレイ等によって映像や情報を表示する広告媒体が登場している。これらの端末（広告媒体）はバス停等の公共交通機関の停留所にも用いられている（特許文献１）。
【０００３】
このような広告媒体には、屋外での使用を想定して製造された屋外向けの表示装置が利用される。なお屋外では、季節等による温度変動や直射日光等の影響が大きく、特に真夏の炎天下等における屋外では、屋内では想定されないような高温となることがある。
【先行技術文献】
【特許文献】
【０００４】
【特許文献１】特開２００９−２９４２８４号公報（図３）
【特許文献２】特開平１１−３４４９５４号公報
【発明の概要】
【発明が解決しようとする課題】
【０００５】
ところで屋外向けの表示装置の電源としては、屋外で使用されること等に鑑み、太陽電池の利用が考えられる。このようにする場合、当該表示装置は、太陽電池や蓄電池を備えた屋外表示システムとして屋外に設置される。またこの場合、屋外表示システムには、太陽電池の発電電力を蓄電池や表示装置へ供給するコントローラ（コントローラモジュール）等も備えられる。
【０００６】
また先述した通り、屋外では、季節等による温度変動や直射日光等の影響が大きい。そのため屋外表示システムは、このような状況に耐え得る仕様とし、誤作動などを起こさないようにすることが重要である。
【０００７】
特に、上述した蓄電池やコントローラなどは発熱し易く、温度が高くなり過ぎると正常に動作しなくなるおそれがある。そのためこれらについては、温度が高くなり過ぎないように効率良く冷却する必要がある。
【０００８】
本発明は上述した問題に鑑み、蓄電池やコントローラを効率良く冷却することが可能となる屋外表示システムの提供を目的とする。
【課題を解決するための手段】
【０００９】
本発明に係る屋外表示システムは、太陽電池と、電力を蓄電する蓄電池と、コンテンツを表示する表示装置と、前記太陽電池により得られた電力を、前記蓄電池または前記表示装置へ供給するコントローラと、吸気口および排気口が設けられている冷却ケースと、前記冷却ケースの内部に、前記吸気口から前記排気口へ流れる空気流を発生させるファンと、を備え、前記蓄電池および前記コントローラは、前記冷却ケースの内部に収納されている構成とする。
【００１０】
本構成によれば、冷却ケースの内部に効率的に空気流を発生させることが可能となる。そのため、蓄電池やコントローラを効率良く冷却することが可能となる。
【００１１】
また上記構成において、前記表示装置に電力が供給される際に、該電力の状態を変換するインバータを備え、前記冷却ケースの内部には、前記インバータも収納されている構成としてもよい。本構成によれば、インバータについても効率良く冷却することが可能となる。
【００１２】
また上記構成としてより具体的には、前記冷却ケースは、略直方体の筐体を形成しており、前記吸気口は前記筐体の側面に設けられており、前記排気口は前記筐体の反対側の側面に設けられている構成としてもよい。
【００１３】
また、前記吸気口と前記排気口のそれぞれにおいて、前記ファンが複数個設けられている上記構成の屋外表示システムにおいて、より具体的には、温度を検出する温度センサを備え、前記温度センサの検出結果に応じて、前記ファンの回転速度または駆動個数を調節する構成としてもよい。
【００１４】
また上記構成として具体的には、前記冷却ケースの内部において、前記インバータは、前記蓄電池および前記コントローラよりも、前記吸気口に近い位置に配置されている構成としてもよい。本構成によれば、特にインバータを効率良く冷却することが可能となる。
【発明の効果】
【００１５】
上述した通り、本発明に係る屋外表示システムによれば、冷却ケースの内部に効率的に空気流を発生させることが可能となる。そのため、蓄電池やコントローラを効率良く冷却することが可能となる。
【図面の簡単な説明】
【００１６】
【図１】本発明の第１実施形態に係る屋外表示システムの斜視図である。
【図２】当該屋外表示システムの別の斜視図である。
【図３】当該屋外表示システムの側面図である。
【図４】当該屋外表示システムの構成に関するブロック図である。
【図５】本発明の第１実施形態に係る表示装置の外観図である。
【図６】当該表示装置の断面図である。
【図７】当該表示装置の別の断面図である。
【図８】本発明の第１実施形態に係る冷却ケースの外観図である。
【図９】当該冷却ケースの断面図である。
【図１０】本発明の第２実施形態に係る屋外表示システムの構成に関するブロック図である。
【図１１】本発明の第２実施形態に係る冷却ケースの断面図である。
【発明を実施するための形態】
【００１７】
本発明の実施形態（第１実施形態および第２実施形態）について、屋外で利用される屋外表示システムを例に挙げて以下に説明する。
【００１８】
１．第１実施形態
［屋外表示システムの構成等について］
まず第１実施形態について説明する。図１から図３の各々は、屋外表示システム９の外観図である。なお、図１は斜め前方から見た図（斜視図）、図２は斜め後方から見た図（斜視図）、図３は横から見た図（側面図）を、それぞれ表している。
【００１９】
これらの図に示すように、屋外表示システム９は、表示装置４や冷却ケース７などが収納された本体ケース９１を有している。なお表示装置４には、タッチパネル４６や照度センサ５０ｂが設けられており（図５等を参照）、これらは本体ケース９１の前面から露出している。表示装置４や冷却ケース７の詳細な構成や役割については、後述する説明によって明らかとなる。
【００２０】
本体ケース９１の下部には、地面に固定可能である脚部９２が設けられており、屋外表示システム９は屋外に固定的に設置することが可能となっている。また本体ケース９１の下底面には、開口部９１ａが設けられている。開口部９１ａにおいて、本体ケース９１の内部と外部は導通しており、空気が自由に出入りできる状態となっている。なお開口部９１ａは、後述する吸気用ダクトおよび排気用ダクトに対応するように、本体ケース９１の下底面における左右の両側に設けられている。また本体ケース９１の上部には、支持部９３に支えられるようにして、屋根９４が設けられている。屋根９４の上面には、太陽光を受光する太陽電池パネル９５が敷かれている。なお屋根９４の角度は、太陽電池パネル９５へ太陽光が効率的に入射するように、適切に設定されている。
【００２１】
図４は、屋外表示システム９の構成を表すブロック図である。本図に示すように屋外表示システム９は、太陽電池１、蓄電池２、コントローラ（コントロールモジュール）３、表示装置４、電源用冷却ファン５、ファン制御装置６、およびインバータ８などを備えている。
【００２２】
太陽電池１は、太陽電池パネル９５などから形成されており、受光した太陽光を光電変換することにより発電を行う。なお太陽電池１は、直流電圧を出力するようになっている。この直流電圧の大きさは、例えば５０Ｖ前後であるが、発電量に応じて変動する。また蓄電池２は、例えばリチウムイオンバッテリー（バッテリーパック）である。
【００２３】
コントローラ３は、太陽電池１が発電した電力を、蓄電池２および表示装置４へ供給する。なおコントローラ３は、原則的に、太陽電池１が発電した電力の大部分をそのまま表示装置４へ供給し、余剰電力（太陽電池１による発電電力と表示装置４の消費電力の差分電力）を蓄電池２へ供給する。但しコントローラ３は、発電電力の不足時（例えば夜間や雨天時）には、蓄電池２から表示装置４へ電力供給がなされるようにする。
【００２４】
またコントローラ３には、直流電力を交流電力に変換するインバータ８が接続されている。インバータ８は、例えばコントローラ３を通じて表示装置４に電力が供給される際に、コントローラ３から出力される直流電力（供給電力）を、商用電源と同等の交流電力（例えば電圧が１００Ｖ、周波数が６０Ｈｚ）に変換して表示装置４（後述する電源回路４７）に送出する役割を果す。なお本実施形態では、表示装置４として、汎用のテレビ受像機（商用電源を用いて動作する）が採用されている。インバータ８による電力の変換は、このテレビ受像機への適切な電源供給を可能とするために行われる。
【００２５】
なお、このような変換の動作が必要ではない場合（電源回路４７が直流電力の供給を受付ける場合）には、インバータ８の設置が省略されるようにしても構わない。インバータ８の設置が省略されるケースについては、後に第２実施形態として説明する。また蓄電池２、コントローラ３、およびインバータ８は、冷却ケース７に収納され、十分に冷却されるように配慮されている。この点については、改めて詳しく説明する。
【００２６】
表示装置４は、コンテンツを表示する液晶表示装置であり、受信部４１、蓄積部４２、表示制御部４３、液晶パネル（液晶表示パネル）４４、バックライト４５、タッチパネル４６、電源回路４７、制御部４８、パネル用冷却ファン４９、温度センサ５０ａ、および照度センサ５０ｂなどを備えている。
【００２７】
受信部４１は、外部のコンテンツサーバ（例えば、ＡＳＰサーバ、パソコンなど）から無線通信（例えば、ＷｉＭＡＸ、ＩＥＥＥ８０２．１１ｂ／ｇなどの方式）により送信されるコンテンツ信号（広告コンテンツ等のコンテンツを含む信号）を受信するアンテナと、アンテナで受信した信号に対し復調処理などを行う信号処理部などを備える。
【００２８】
コンテンツ信号が、例えば、ＯＦＤＭ方式により変調されて伝送されたＭＰＥＧ２−ＴＳ形式の信号であれば、受信部４１はＯＦＤＭ変調を行い、ＭＰＥＧ２−ＴＳ信号を抽出する。受信部４１によって所定の処理がなされたコンテンツ信号は、蓄積部４２へ伝送される。
【００２９】
蓄積部４２は、受信部４１からコンテンツ信号を受取ることにより、コンテンツを取得して保存する。なおコンテンツがリアルタイムコンテンツである場合（受信したコンテンツを即時に表示するような場合）、蓄積部４２はバッファメモリとして機能する。コンテンツがユーザの操作に応じて表示されるコンテンツ、或いは予め設定されたタイムスケジュールに基づいて表示されるコンテンツである場合、蓄積部４２はストレージメディアとして機能する。
【００３０】
表示制御部４３は、液晶パネル４４での表示制御を行う表示制御回路を有している。この表示制御回路は、コンテンツの画像処理などを実行し、液晶パネル４４においてコンテンツが適切に表示されるようにする。なお表示制御回路は、液晶パネル４４の背面側に配置されている。
【００３１】
液晶パネル４４は、表示制御部４３による表示制御に従って、各画素に対応する液晶の変調がなされる。これにより液晶パネル４４は、バックライト４５の光の透過度合が変化し、全体としてコンテンツ（画像）を表示する。なおバックライト４５は、液晶パネル４４に白色光を照射するものであり、例えば冷陰極管（ＣＣＦＬ）やＬＥＤが用いられる。  
【００３２】
タッチパネル４６は、静電容量方式の透明なタッチパネルとして形成されており、液晶パネル４４の前面側に（より詳細には、液晶パネル４４の前面に配置された前面ガラスに）配置されている。タッチパネル４６は、ユーザの指が触れた位置等を検出し、その情報を制御部４８に伝送する。
【００３３】
電源回路４７は、外部（コントローラ３側）から供給された電力を用いて、表示装置４の各部に対し電源供給を行う。なお電源回路４７は、商用電源等（例えば電圧が１００Ｖ、周波数が６０Ｈｚの交流電源）が供給された場合にも、これを直流に変換して表示装置４の各部へ電源供給することが可能となっている。すなわち電源回路４７は、外部から供給された交流電力を直流（例えば、２４Ｖ、１２Ｖ、５Ｖ等の直流電圧）に変換するようになっている。供給された電源は、コンテンツの表示やパネル用冷却ファン４９の駆動など、各種動作の実行に用いられることになる。制御部４８は、ＣＰＵ［Central Processing Unit］等によって形成されており、表示装置４が適切に動作するように、表示装置４における各部の制御を行う。
【００３４】
パネル用冷却ファン４９は、表示装置４の内部（特に、液晶パネル４４とタッチパネル４６）を冷却するためのファンであり、ファンＡ１〜Ａ６の６個のファンの総称である。なおファンＡ１〜Ａ３の３個のファンは、表示装置４の外部から内部への吸気を促す吸気用ファン４９ａであり、ファンＡ４〜Ａ６の３個のファンは、表示装置４の内部から外部への排気を促す排気用ファン４９ｂである。
【００３５】
温度センサ５０ａは、先述した表示制御回路上に設けられたサーミスタである。温度センサ５０ａによって検出された温度の情報は、液晶パネル４４の表示制御に利用される。また温度センサ５０ａによって検出された温度の情報は、制御部４８に伝送され、パネル用冷却ファン４９の駆動制御にも利用可能となっている。なお温度センサ５０ａの種類や位置などについては、その他の形態とすることも可能である。
【００３６】
照度センサ５０ｂは、表示装置４の前面外部（図５を参照）に設けられており、照度を検出する。照度センサ５０ｂによって検出された照度の情報は、制御部４８に伝送され、パネル用冷却ファン４９の駆動制御に利用可能となっている。なお各種のセンサ（５０ａ、５０ｂ）は、それぞれ複数個が設けられるようにしても構わない。この場合、例えば検出値の平均値、最大値、或いは最小値などが適宜算出され、算出された値を検出値として採用することも可能である。
【００３７】
電源用冷却ファン５は、コントローラ２、蓄電池３、およびインバータ８を冷却するためのファンであり、ファンＢ１〜Ｂ６の６個のファンの総称である。電源用冷却ファン５は、何れも冷却ケース７に取付けられている。
【００３８】
なおファンＢ１〜Ｂ３の３個のファンは、冷却ケース７の外部から内部への吸気を促す吸気用ファン５ａであり、ファンＢ４〜Ｂ６の３個のファンは、冷却ケース７の内部から外部への排気を促す排気用ファン５ｂである。電源用冷却ファン５の駆動は、ファン制御装置６によって制御されるようになっている。ファン制御装置６は、例えば冷却ケース７に取付けられており、コントローラ３側から供給される電源を用いて、電源用冷却ファン５の駆動を制御する。
【００３９】
［表示装置の詳細な構成等について］
次に、表示装置４の詳細な構成について、パネル用冷却ファン４９を利用した冷却機構に言及しながら説明する。
【００４０】
図５は、表示装置４の外観図（斜め前方から見た図）である。また図６は、水平面で切断したときの表示装置４の断面図である。また図７は、図６の線分Ｘを含む鉛直面で切断したときの、表示装置４の断面図である。
【００４１】
これらの図に示すように、表示装置４は、フロントキャビネットＦＣとバックキャビネットＢＣが前後方向に結合し、ほぼ一体的となった筐体を形成している。なおバックキャビネットＢＣの側面には、吸気用ダクト１１もしくは排気用ダクト１２が取付けられている。
【００４２】
またバックキャビネットＢＣの内部には液晶パネル４４が設けられており、その後にはバックライト４５も設けられている。またフロントキャビネットＦＣには、液晶パネル４４と向い合う位置に、透明な前面ガラス１３（透明部材の一種）が設けられている。前面ガラス１３の前側の表面には、タッチパネル４６が設けられている。
【００４３】
液晶パネル４４に表示されたコンテンツ（画像）の光は、前面ガラス１３およびタッチパネル４６を介して前方に届けられる。なお図１に示したように、タッチパネル４６は前方に向けて露出しているため、屋外表示システム９の前方に居る観察者（通行人など）は、この表示されたコンテンツを見ることが可能となっている。
【００４４】
ところで表示装置４において、特に液晶パネル４４は、バックライトによって強く熱せられることになる。また液晶パネルの温度が高くなり過ぎると、液晶の液化による表示障害（ブラックアウト）が生じるおそれがある。そのため、液晶パネル４４を冷却することは特に重要である。また温度変化によるタッチパネル４６の誤動作を防ぐため、タッチパネル４６を冷却することも重要である。
【００４５】
そこで表示装置４には、特に液晶パネル４４とタッチパネル４６を効率よく冷却するための、冷却機構が設けられている。この冷却機構の形態について、以下に説明する。
【００４６】
表示装置４の筐体内部においては、空気を流すための流路（空間）ＳＰが設けられている。この流路ＳＰは、図６に示すように、吸気口１４から、液晶パネル４４と前面ガラス１３の間を介して、排気口１５に達する形態となっている。なお図７に示すように、吸気口１４は、表示装置４（バックキャビネットＢＣ）の側面に、上下方向に並ぶように３箇所に設けられている。また排気口１５は、表示装置４（バックキャビネットＢＣ）の反対側の側面に、上下方向に並ぶように３箇所に設けられている。なお吸気口１４や排気口１５には、表示装置４の内部に雨・埃等が入らないようにするためのフィルタが設けられていても良い。
【００４７】
そしてパネル用冷却ファン４９のうち、吸気用ファン４９ａ（ファンＡ１〜Ａ３）は、吸気口１４の各々に設けられている。また排気用ファン４９ｂ（ファンＡ４〜Ａ６）は、排気口１５の各々に設けられている。
【００４８】
パネル用冷却ファン４９が回転することにより、流路ＳＰにおいて、吸気口１４から排気口１５へ向かう方向、すなわち図６や図７に矢印ＦＬで示す方向の送風が行われる。このように表示装置４においては、パネル用冷却ファン４９や流路ＳＰ等によって、冷却機構が形成されている。
【００４９】
すなわちパネル用冷却ファン４９を回転させると、液晶パネル４４と前面ガラス１３との間を含む流路ＳＰに、吸気口１４から排気口１５へ流れる空気流が発生する。その結果、この空気流が液晶パネル４４および前面ガラス１３から熱を奪うことになり、液晶パネル４４、および前面ガラス１３に設けられたタッチパネル４６を、効率良く冷却することが可能となっている。
【００５０】
なお、パネル用冷却ファン４９の回転速度（単位時間あたりの回転数）または駆動個数（駆動させるファンの個数）を増大させるほど、空気流の勢いが強まり、より強い冷却が実現される。但しこのようにするほど、消費電力は増大し、一般的に騒音も大きくなる。そのためパネル用冷却ファン４９の駆動は、冷却が過不足無く行われる程度に、制御されるようになっている。パネル用冷却ファン４９の制御方法については、改めて詳細に説明する。
【００５１】
また表示装置４の側面のうち、吸気口１４が設けられている側には、吸気用ダクト１１が取付けられている。吸気用ダクト１１は、吸気口１４の全てを外側から覆うように、バックキャビネットＢＣの側面に沿って、上下方向に伸びた形状となっている。
【００５２】
また吸気用ダクト１１の下端（各吸気口１４より低い位置となっている）には、下向きに（開口部９１ａに向けて）開口したダクト吸気口１１ａが設けられている。吸気用ダクト１１は、ダクト吸気口１１ａと各吸気口１４においてのみ開口した空間（空気の流路）を形成している。
【００５３】
吸気用ダクト１１は上述した形態となっており、ダクト吸気口１１ａには、開口部９１ａを通じて本体ケース９１の外部から入ってきた空気が流入する。そして吸気用ダクト１１は、ダクト吸気口１１ａから流入した空気を各吸気口１４へ導くとともに、雨や埃などが吸気口１４に到達し難くする役割を果す。
【００５４】
なお雨や埃などは上側から落ちてくる（下側に向かって進む）ことが多いところ、ダクト吸気口１１ａは下向きに開口しているため、吸気用ダクト１１自体にも雨・埃等が入り難くなっている。そして更に、吸気用ダクト１１は上下方向に伸びており、ダクト吸気口１１ａは低い位置に設けられている。これらのことから、吸気用ダクト１１によれば、吸気口１４に雨・埃等が到達することを十分に抑制することが可能となっている。
【００５５】
また表示装置４の側面のうち、排気口１５が設けられている側には、排気用ダクト１２が取付けられている。排気用ダクト１２は、排気口１５の全てを外側から覆うように、バックキャビネットＢＣの側面に沿って、上下方向に伸びた形状となっている。
【００５６】
また排気用ダクト１２の下端（各排気口１５より低い位置となっている）には、下向きに（開口部９１ａに向けて）開口したダクト排気口１２ａが設けられている。排気用ダクト１２は、ダクト排気口１２ａと各排気口１５においてのみ開口した空間（空気の流路）を形成している。
【００５７】
排気用ダクト１２は上述した形態となっており、各排気口１５から排出された空気をダクト排気口１２ａへ導くとともに、雨や埃などが排気口１５に到達し難くする役割を果す。ダクト排気口１２ａへ導かれた空気は、更に開口部９１ａを通じて、本体ケース９１の外部へ排出されることとなる。なおダクト排気口１２ａは下向きに開口しているため、排気用ダクト１２自体にも雨・埃等が入り難くなっている。更に、排気用ダクト１２は上下方向に伸びており、ダクト排気口１２ａは低い位置に設けられている。これらのことから、排気用ダクト１２によれば、排気口１５に雨・埃等が到達することを十分に抑制することが可能となっている。
【００５８】
上述したように表示装置４においては、吸気口１４や排気口１５に雨・埃等が到達し難くなっているため、表示装置４の内部に雨・埃等が入り難くなっている。また吸気口１４や排気口１５にフィルタが設けられている場合には、雨・埃等によるフィルタの目詰まりが極力抑えられ、表示装置４の内部における空気流が促進されるようになっている。
【００５９】
［パネル用冷却ファンの制御方法について］
表示装置４は、パネル用冷却ファン４９を適切に駆動させ、表示装置４を冷却させるようになっている。パネル用冷却ファン４９の駆動は、種々の制御方法によって制御することが可能である。
【００６０】
ここで当該制御方法の具体例について、温度センサ５０ａの検出結果に基づくもの（第１の制御方法）、照度センサ５０ｂの検出結果に基づくもの（第２の制御方法）、およびこれらの双方のセンサ（５０ａ、５０ｂ）の検出結果に基づくもの（第３の制御方法）の各々を挙げて、以下に説明する。
【００６１】
まず第１の制御方法によれば、温度センサ５０ａによる検出温度が高いほど、ファンの回転速度または駆動個数が増大するように、パネル用冷却ファン４９の駆動が制御される。例えば、検出温度が所定の閾値α１を超えたときは、通常時（超えていないとき）に比べてファンの回転速度または駆動個数が増大するように、パネル用冷却ファン４９の駆動が制御される。
【００６２】
これにより、表示装置４を出来るだけ過不足無く冷却することが可能となる。すなわち、温度上昇の抑制と消費電力の低減の双方を出来るだけ両立させるように、表示装置４を冷却することが可能となる。なお、タッチパネル４６の誤動作の発生等を抑えるため、表示装置４の温度の変化速度が極力小さくなるように配慮しても良い。パネル用冷却ファン４９の回転速度または駆動個数を変化させる際に、この変化が徐々に進むようにすることで、表示装置４の温度の変化速度を小さくすることが可能である。
【００６３】
また第２の制御方法によれば、照度センサ５０ｂの検出照度が所定の閾値α２を超えたときは、通常時（超えていないとき）に比べてファンの回転速度または駆動個数が増大するように、パネル用冷却ファン４９の駆動が制御される。なお閾値α２は、直射日光が当たったときに超えると想定される値（一例としては、１００００ルクス）に設定される。
【００６４】
これにより、表示装置４に直射日光が当たる状況、すなわち急激な温度上昇が想定される状況において強い冷却がなされることになり、表示装置４の温度が過剰に高くなることを極力抑えることが可能となる。
【００６５】
なお照度センサ５０ｂによれば、直射日光が当たる状況となったことを、これによる温度上昇が生じる前に検出することが可能であり、ひいては、温度センサに比べてより迅速に検出することが可能である。そのため第２の制御方法によれば、直射日光が当たる状況となったことを迅速に検出し、温度上昇が生じる前に冷却を強めることで、温度上昇を事前に抑えることが可能である。
【００６６】
また第３の制御方法によれば、温度センサ５０ａの検出温度が閾値α１を超えたとき、または、照度センサ５０ｂの検出照度が閾値α２を超えたときに、通常時に比べてファンの回転速度または駆動個数が増大するように、パネル用冷却ファン４９の駆動が制御される。
【００６７】
第３の制御方法によれば、第２の制御方法の場合と同様に、直射日光が当たる状況となったことを迅速に検出し、温度上昇が生じる前に冷却を強めることで、温度上昇を事前に抑えることが可能である。そして更に第３の制御方法によれば、直射日光に起因しない温度上昇（外気温の上昇や内部発熱等による温度上昇）が生じた場合であっても、温度センサ５０ａによってこれを検出し、冷却を強めて温度上昇を抑えることが可能である。
【００６８】
［蓄電池等の冷却形態について］
先述したように蓄電池２、コントローラ３、およびインバータ８は、冷却ケース７の内部に収納された状態で、本体ケース９１内に設置されている。この点について、以下に詳細に説明する。
【００６９】
図８は、蓄電池２等が収納された冷却ケース７の外観図（斜視図）である。なお図８における点線は、蓄電池２等が配置されている様子を表している。また図９は、蓄電池２等が収納された冷却ケース７についての断面図（鉛直面で切断した場合）である。
【００７０】
これらの図に示すように冷却ケース７は、直方体の筐体を形成しており、その内部に、蓄電池２、コントローラ３、およびインバータ８を収納している。当該筐体の一方の側面には、上下方向に並ぶように３箇所の吸気口７１が設けられており、その反対側の側面には、上下方向に並ぶように３箇所の排気口７２が設けられている。
【００７１】
そして電源用冷却ファン５のうち、吸気用ファン５ａ（ファンＢ１〜Ｂ３）は、吸気口７１の各々に設けられている。また排気用ファン５ｂ（ファンＢ４〜Ｂ６）は、排気口７２の各々に設けられている。
【００７２】
電源用冷却ファン５が回転することにより、冷却ケース７の内部において、吸気口７１から排気口７２へ向かう方向、すなわち図９に矢印ＦＬで示す方向の送風が行われる。すなわち電源用冷却ファン５を回転させると、冷却ケース７の内部において、吸気口７１から排気口７２へ流れる空気流が発生する。その結果、この空気流が蓄電池２、コントローラ３、およびインバータ８から熱を奪うことになり、これらを効率良く冷却することが可能となっている。
【００７３】
なお冷却ケース７の内部は、吸気口７１と排気口７２を除いて略密閉状態となっており、空気の分散が抑制されるようになっている。そのため、電源用冷却ファン５を回転させると、冷却ケース７の内部に効率良く空気流を発生させることが可能となっている。これにより屋外表示システム９は、蓄電池２、コントローラ３、およびインバータ８を、効率良く冷却することが可能となっている。
【００７４】
なお、表示装置４の動作（画像の処理や表示等）などに要する電力はあまり大きくないことから、通常、蓄電池２の発熱量はあまり大きくはならない。即ち、表示装置４は、連続運転されることが多く消費電力が大きいのであるが、瞬間的な消費電力は小さいので、蓄電池２が過度に発熱することは無い。その一方、インバータ８は、電力変換での変換ロスが熱に変わることなどから、通常、蓄電池２等に比べて発熱し易いといえる。そこで冷却ケース７内部の配置形態に関し、比較的発熱し易いインバータ８は、蓄電池２およびコントローラ３よりも、吸気口７１に近い位置に配置されている。このようにインバータ８は、蓄電池２およびコントローラ３に比べて空気流の上流側に配置されており、より効率良く冷却することが可能となっている。
【００７５】
なお、例えば図９に示すようにコントローラ３を蓄電池２の上方に配置する場合、コントローラ３を蓄電池２の上に直接乗せるようにしても良く、放熱効率を上げるため、コントローラ３を棚等に乗せる（コントローラ３と蓄電池２を離す）ようにしても良い。
【００７６】
また冷却ケース７にも、先述した表示装置４と同様に、吸気用ダクト７３および排気用ダクト７４が取付けられている。これらの構成や役割については、表示装置４に取付けられている吸気用ダクト１１および排気用ダクト７４と基本的に同等であるため、ここでは詳細な説明を省略する。
【００７７】
冷却ケース７に収納されている蓄電池２、コントローラ３、およびインバータ８は、温度が高くなり過ぎると（特に、定格温度を超えると）、正常に動作しなくなるおそれがある。そのためファン制御装置６は、このような事態が生じないように電源用冷却ファン５を適切に駆動させ、これらを冷却させるようになっている。
【００７８】
なお電源用冷却ファン５の駆動についても、パネル用冷却ファン４９の場合と同様に、種々の制御方法によって制御することが可能であり、先述した第１〜第３の制御方法、或いはこれに準じた制御方法などを適用することが可能である。すなわち温度センサ５０ａ等の検出結果に応じて、ファンの回転速度や駆動個数を調節することが可能である。
【００７９】
また蓄電池２などに温度センサを直接取付けておき、この温度センサによる検出温度が所定の閾値を超えたときは、超えていないときに比べてファンの回転速度または駆動個数が増大するように、電源用冷却ファン５の駆動が制御されるようにしても良い。また季節などに応じて、ファンの駆動個数が設定されるようにしても良い。例えば、夏季には、電源用冷却ファン５を全て駆動するようにし、冬季には、吸気ファン５ａと排気ファン５ｂを１個ずつ駆動するようにしても良い。
【００８０】
２．第２実施形態
次に第２実施形態について説明する。なお第２実施形態は、インバータ８が用いられない点、およびこれに関連する点を除いて、基本的に第１実施形態と同等である。第２実施形態の説明にあたっては、第１実施形態と異なる点に重点を置き、共通する点については説明を省略する。
【００８１】
本実施形態に係る電源回路４７０は、外部（コントローラ３側）から供給された電力を用いて、表示装置４０の各部に対し電源供給を行う点については、第１実施形態の場合と同様である。但し本実施形態に係る電源回路４７０は、例えば屋外表示システム専用の仕様となっており、直流電力の供給を受付けてこれを直流のまま（但し電圧等を調節した上で）、表示装置４０の各部へ電源として供給する。
【００８２】
図１０に、本実施形態に係る屋外表示システム９０の構成を表すブロック図を示す。本図に示すように、本実施形態に係る屋外表示システム９０では、第１実施形態の場合と異なり、インバータ８が設けられていない。すなわちコントローラ３から電源回路４７０へ供給される電力については、直流から交流への変換は行われない。
【００８３】
図１１に、本実施形態に係る冷却ケース７についての断面図（鉛直面で切断した場合）を示す。本図に示すように、本実施形態に係る冷却ケース７には、第１実施形態の場合と異なり、蓄電池２とコントローラ３のみが収納されている。すなわち本実施形態では、インバータ８は不要であるため、冷却ケース７には収納されていない。なお図１１に示す蓄電池２とコントローラ３の配置形態は一例であり、他の形態が採用されても構わない。
【００８４】
第１実施形態では、電力をインバータで直流から交流に変換するので、電力損失が大きいが、本実施形態の場合、直流のまま表示装置へ伝送するので電力損失が小さくて済む。但し、表示装置は直流電力が入力可能である仕様である必要がある。
【００８５】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００８６】
本発明は、屋外で用いられる屋外表示システムなどに利用することができる。
【符号の説明】
【００８７】
１    太陽電池
２    蓄電池
３    コントローラ
４    表示装置
５    電源用冷却ファン
５ａ  吸気ファン
５ｂ  排気ファン
６    ファン制御装置
７    冷却ケース
８    インバータ
９    屋外表示システム
１１    吸気側ダクト
１１ａ  ダクト吸気口
１２    排気側ダクト
１２ａ  ダクト排気口
１３    前面ガラス（透明部材）
１４    吸気口
１５    排気口
４１    受信部
４２    蓄積部
４３    表示制御部
４４    液晶パネル
４５    バックライト
４６    タッチパネル
４７    電源回路
４８    制御部
４９    パネル用冷却ファン
４９ａ  吸気ファン
４９ｂ  排気ファン
５０ａ  温度センサ
５０ｂ  照度センサ
７１    吸気口
７２    排気口
７３    吸気側ダクト
７３ａ  ダクト吸気口
７４    排気側ダクト
７４ａ  ダクト排気口
９１    本体ケース
９２    脚部
９３    支持部
９４    屋根
９５    太陽電池パネル
ＦＣ    フロントキャビネット
ＢＣ    バックキャビネット
【図４】
2012133254.tif 000003
【図１０】
2012133254.tif 000004
【図１】
2012133254.tif 000005
【図２】
2012133254.tif 000006
【図３】
2012133254.tif 000007
【図５】
2012133254.tif 000008
【図６】
2012133254.tif 000009
【図７】
2012133254.tif 000010
【図８】
2012133254.tif 000011
【図９】
2012133254.tif 000012
【図１１】
2012133254.tif 000013